(57)【要約】【課題】利用者の節電に対する意識の向上を図る。【解決手段】親機２では、電力計測ユニット１の記憶部１３に記憶されている計測値並びに当該計測値の計測時刻とに基づいて所定期間内の積算電力量に対する電気料金を親機演算部２１で演算し、親機演算部２１で演算した前記電気料金を表示器２５で表示する。故に、電力計測ユニット１で計測される電力量を表示する場合と比較して利用者の節電に対する意識の向上が図れる。しかも、電力量の計測値が計測時刻と対応付けられているので、例えば、時間帯によって電気料金が異なる場合においてもより正確に電気料金を演算することができる。【選択図】        図１
2011002365.tif 000002
【特許請求の範囲】
【請求項１】
電力系統から供給される電力量を計測する電力計測ユニットと、電力計測ユニットで計測される電力量を表示する表示ユニットとを備え、
電力計測ユニットは、時刻を計時する時計手段と、電力量の計測値を計測した時刻と対応づけて記憶する記憶手段とを具備し、
表示ユニットは、電力計測ユニットの記憶手段に記憶されている計測値並びに当該計測値の計測時刻とに基づいて所定期間内の積算電力量に対する電気料金を演算する演算手段と、演算手段で演算した前記電気料金を表示する表示手段とを具備することを特徴とする電力監視システム。
【請求項２】
電力計測ユニットは、電力量の計測値を１時間単位で積算した積算値を記憶手段に記憶してなり、
表示ユニットは、演算手段で１日分の電気料金を演算する際、電力計測ユニットの記憶手段に記憶されている２４時間分の積算値を一括して受け取ることを特徴とする請求項１記載の電力監視システム。
【請求項３】
表示ユニットは、宅内に設置されて宅外のドアホン子器とともにインターホンシステムを構成するインターホン親機に一体に設けられていることを特徴とする請求項１又は２記載の電力監視システム。
【発明の詳細な説明】
【技術分野】
【０００１】
本発明は、住宅で消費される電力を監視する電力監視システムに関するものである。
【背景技術】
【０００２】
従来、電力系統から住宅用分電盤（住宅盤）の主幹ブレーカに供給される電力量を計測する電力計測ユニットと、電力計測ユニットで計測される電力量の積算値や瞬時値を表示する表示ユニットとを備えた電力監視システムが種種提供されている（例えば、特許文献１参照）。尚、特許文献１では住宅内に設置される住宅情報盤（あるいはインターホン親機）を表示ユニットに兼用している。
【先行技術文献】
【特許文献】
【０００３】
【特許文献１】特開平１１−２２５４３８号公報
【発明の概要】
【発明が解決しようとする課題】
【０００４】
従来の電力監視システムは、電力計測ユニットで計測される電力量が予め設定されている目標値を超えたときに電気の使い過ぎを警告するものであって、利用者（住人）の節電に対する意識を向上することは困難であった。
【０００５】
本発明は上記事情に鑑みて為されたものであり、その目的は、利用者の節電に対する意識の向上が図れる電力監視システムを提供することにある。
【課題を解決するための手段】
【０００６】
請求項１の発明は、上記目的を達成するために、電力系統から供給される電力量を計測する電力計測ユニットと、電力計測ユニットで計測される電力量を表示する表示ユニットとを備え、電力計測ユニットは、時刻を計時する時計手段と、電力量の計測値を計測した時刻と対応づけて記憶する記憶手段とを具備し、表示ユニットは、電力計測ユニットの記憶手段に記憶されている計測値並びに当該計測値の計測時刻とに基づいて所定期間内の積算電力量に対する電気料金を演算する演算手段と、演算手段で演算した前記電気料金を表示する表示手段とを具備することを特徴とする。
【０００７】
請求項１の発明によれば、電力量を電気料金に置き換えて表示するので、電力計測ユニットで計測される電力量を表示する場合と比較して利用者の節電に対する意識の向上が図れる。しかも、電力量の計測値が計測時刻と対応付けられているので、例えば、時間帯によって電気料金が異なる場合においてもより正確に電気料金を演算することができる。
【０００８】
請求項２の発明は、請求項１の発明において、電力計測ユニットは、電力量の計測値を１時間単位で積算した積算値を記憶手段に記憶してなり、表示ユニットは、演算手段で１日分の電気料金を演算する際、電力計測ユニットの記憶手段に記憶されている２４時間分の積算値を一括して受け取ることを特徴とする。
【０００９】
請求項２の発明によれば、表示ユニットの演算手段が電力計測ユニットから２４時間分の計測値を受け取る場合と比較してデータ量が少なくて済み、電気料金を演算して表示するまでの時間が短縮できて使い勝手が向上する。
【００１０】
請求項３の発明は、請求項１又は２の発明において、表示ユニットは、宅内に設置されて宅外のドアホン子器とともにインターホンシステムを構成するインターホン親機に一体に設けられていることを特徴とする。
【００１１】
請求項３の発明によれば、表示ユニットの設置スペースが不要となって省スペース化が図れる。
【発明の効果】
【００１２】
本発明によれば、利用者の節電に対する意識の向上が図れる。
【図面の簡単な説明】
【００１３】
【図１】本発明の実施形態を示すブロック図である。
【図２】同上を含むシステム構成図である。
【図３】同上における電力計測ユニットの動作を説明するためのフローチャートである。
【発明を実施するための形態】
【００１４】
本実施形態の電力監視システムは、図２に示すように電力系統から供給される電力量を計測する電力計測ユニット１と、電力計測ユニット１で計測される電力量を表示する表示ユニットたるインターホン親機２とを備えている。
【００１５】
電力系統から住宅盤２００に引き込まれた単相３線の電力線Ｌｐが主幹ブレーカＭＢの１次側に接続され、主幹ブレーカＭＢの２次側に分岐接続された分岐ブレーカ（図示せず）を介して負荷Ｌに電力が供給される。主幹ブレーカＭＢの１次側には電流センサ部３が設けられている。
【００１６】
電力計測ユニット１は、図１に示すように電流センサ部３を構成する一対の電流トランスＣＴ１，ＣＴ２で検出される電流値と、電圧線Ｌ１と中性線Ｎの線間電圧並びに電圧線Ｌ２と中性線Ｎの線間電圧を検出した電圧値とから瞬時電力並びに積算電力量を演算する演算部１０と、ＣＰＵを主構成要素とする制御部１１と、時計手段たるタイマ１２と、半導体メモリからなる記憶部１３と、表示ユニットであるインターホン親機（以下、親機と略す。）２との間で双方向のデータ通信を行う通信部１４と、電圧線Ｌ１，Ｌ２・中性線Ｎ間の線間電圧から各部の動作電源を作成する電源回路１５と、タイマ１２並びに記憶部１３のバックアップ電源を供給するための電池１６とを具備している。
【００１７】
演算部１０の演算処理について図３のフローチャートを参照して説明する。演算部１０は電流センサ部３で検出する電流値並びに線間電圧の電圧値を所定のサンプリング周期でサンプリングし且つ量子化して瞬時電力を演算するとともに、サンプリング周期よりも十分に長い規定期間（例えば、１分間）における瞬時電力の平均値から当該規定期間における積算電力量を演算する（ステップＳ１）。さらに、演算部１０は規定期間における積算電力量から１時間分の積算電力量（時間積算電力量）を演算し（ステップＳ２）、前回の時間積算電力量の算出から１時間が経過していなければステップＳ１に戻って積算電力量の演算を繰り返し、１時間が経過していれば今回の時間積算電力量を制御部１１に出力した後（ステップＳ３，Ｓ４）、積算電力量並びに時間積算電力量の値をゼロに初期化してステップＳ１に戻る。
【００１８】
制御部１１は、演算部１０から１時間毎に受け取る時間積算電力量のデータをその計測時刻（例えば、○月×日の１２時から１３時の１時間）と対応付けて記憶部１３に記憶させる。尚、記憶部１３の容量に応じて過去のデータ（例えば、計測時刻から数ヶ月経過したデータ）は順次削除（上書き）される。
【００１９】
親機２は、図２に示すように宅外（例えば、外玄関）に設置されるドアホン子器１００、同じく宅外に設置されるセンサ付カメラ子器１１０、宅内に設置される複数の住宅用火災警報器（住警器）１２０などとともに所謂セキュリティインターホンシステムを構成するものである。セキュリティインターホンシステムとは、宅内と宅外のインターホン通話だけでなく、不審者の侵入を防ぐ防犯機能や火災の発生を報知する防災機能などを搭載したインターホンシステムである。
【００２０】
親機２は、図１に示すようにＣＰＵを主構成要素とする親機制御部２０と、後述するように電力計測ユニット１で計測される積算電力量から電気料金を演算する親機演算部２１と、通信線Ｌｓを介して電力計測ユニット１の通信部１４との間で双方向のデータ通信を行う通信部２２と、時刻を計時するタイマ２３と、半導体メモリからなる記憶部２４と、液晶ディスプレイからなる表示器２５と、タッチパネルや操作スイッチなどを有して使用者の操作入力を受け付ける操作入力受付部２６と、信号線を介してドアホン子器１００との間で音声信号や映像信号、呼出信号などを授受するドアホン子器インタフェース（Ｉ／Ｆ）部２７と、信号線を介してセンサ付カメラ子器１１０から送信される映像信号を受信するセンサ付カメラ子器インタフェース（Ｉ／Ｆ）部２８と、信号線を介して住警器１２０から火災感知信号を受信する住警器インタフェース（Ｉ／Ｆ）部２９と、各部の動作電源を作成する電源回路３０とを具備している。
【００２１】
親機制御部２０では、ドアホン子器Ｉ／Ｆ部２７を通じてドアホン子器１００から呼出信号を受け取ると図示しないスピーカから呼出音を鳴動し、呼出に対する応答の操作入力を受け付けた操作入力受付部２６から操作信号を受け取るとドアホン子器Ｉ／Ｆ部２７とマイクロホン（図示せず）並びにスピーカとの間に通話路を形成して双方向に音声信号を伝送させるとともに、ドアホン子器１００が具備する撮像装置（図示せず）で撮像された映像をドアホン子器Ｉ／Ｆ部２７を通して受け取って表示器２５に表示させる。また、親機制御部２０は、監視エリアに人が侵入したことを検知したセンサ付カメラ子器１１０から伝送される映像信号をセンサ付カメラ子器Ｉ／Ｆ部２８を通して受け取るとともに受け取った映像を表示器２５に表示する。さらに、親機制御部２０は、火災を感知した住警器１２０から送信される火災感知信号を住警器Ｉ／Ｆ部２９を通して受け取ると、スピーカから警報音を鳴動するとともに表示器２５に火災発生を知らせるメッセージ等を表示する。尚、上述したようなセキュリティインターホンシステムの親機２の基本機能については従来周知であるから詳細な説明を省略する。
【００２２】
次に、親機２の表示ユニットとしての機能について説明する。親機２の操作入力受付部２６で任意の日（例えば、昨日）の電気料金を問い合わせる操作入力が受け付けられると、操作入力受付部２６から操作信号を受け取った親機制御部２０が、演算部２０を通して通信部２２から昨日の１日分の時間積算電力量を問い合わせるコマンドを電力計測ユニット１へ送信させる。当該コマンドを通信部１４を通じて受け取った電力計測ユニット１の制御部１１は、記憶部１３に記憶している時間積算電力量のデータのうちからコマンドで指定された日（昨日）の１日（２４時間）分の時間積算電力量のデータを読み出すとともに読み出した時間積算電力量のデータを一括して通信部１４より送信させる。
【００２３】
親機２では、通信部２２で受信した昨日の時間積算電力量のデータに基づき、親機演算部２１が昨日の電気料金を演算する。ここで、親機２の記憶部２４には予め電気料金の演算に必要となる電気料金設定のデータが記憶されている。例えば、オール電化住宅の電気料金設定であれば、２３時〜７時の夜時間帯は５円／kWh、７時〜１０時並びに１７時〜２３時の朝晩時間帯は７円／kWh、１０時〜１７時の昼時間帯は１０円／kWhとなる。したがって、親機演算部２１は親機制御部２０を通して記憶部２４から読み出した電気料金設定と電力計測ユニット１から取得した時間積算電力量のデータに基づき、夜時間帯、朝晩時間帯、昼時間帯の各時間帯毎に電気料金を演算するとともにそれらの電気料金を合計することで昨日１日分の電気料金を算出する。そして、算出された電気料金が親機演算部２１から親機制御部２０に伝えられ、親機制御部２０が当該電気料金の金額を表示器２５に表示するのである。
【００２４】
而して本実施形態によれば、電力計測ユニット１で計測する電力量を電気料金に置き換えて表示ユニットたるインターホン親機２で表示するので、電力計測ユニット１で計測される電力量を表示する場合と比較して利用者の節電に対する意識の向上が図れる。しかも、電力量の計測値が計測時刻と対応付けられているので、例えば、時間帯によって電気料金が異なる場合においてもより正確に電気料金を演算することができる。また、電力計測ユニット１では電力量の計測値を１時間単位で積算した時間積算電力量を記憶部１３に記憶し、親機２では、親機演算部２１で１日分の電気料金を演算する際、電力計測ユニット１の記憶部１３に記憶されている２４時間分の時間積算電力量を一括して受け取るので、親機演算部２１が電力計測ユニット１から２４時間分の計測値（積算電力量）を受け取る場合と比較してデータ量が少なくて済み、電気料金を演算して表示するまでの時間が短縮できて使い勝手が向上するという利点がある。さらに、本実施形態ではインターホン親機２を表示ユニットに兼用しているため、表示ユニットの設置スペースが不要となって省スペース化が図れるという利点もある。
【符号の説明】
【００２５】
１  電力計測ユニット
２  インターホン親機（表示ユニット）
１２  タイマ（時計手段）
１３  記憶部（記憶手段）
２１  親機演算部（演算手段）
２５  表示器（表示手段）
【図１】
2011002365.tif 000003
【図２】
2011002365.tif 000004
【図３】
2011002365.tif 000005